(57)【要約】【課題】表裏両面にパネル板を有する追い込み組立て式の間仕切装置において、各部品を施工現場で簡単に組立てることができる構造として、搬送や取扱いが容易である組立て式間仕切装置を提供する。【解決手段】ボード９の背面と周囲を金属製の裏打ち板１０で覆った一対のパネル板２と、パネル板の周囲に着脱可能に取付ける枠部材３と、背面合わせに配した両パネル板の周囲に取付けた枠部材同士を、一定間隔を維持して着脱可能に連結する連結部材４とからなる間仕切パネル１を用いた。【選択図】　　　　図３
2004124480.tif 000002
【特許請求の範囲】
【請求項１】
表裏両面にパネル板を有する追い込み組立て式の間仕切装置であって、ボードの背面と周囲を金属製の裏打ち板で覆った一対のパネル板と、前記パネル板の周囲に着脱可能に取付ける枠部材と、背面合わせに配した両パネル板の周囲に取付けた枠部材同士を、一定間隔を維持して着脱可能に連結する連結部材とからなる間仕切パネルを用いたことを特徴とする組立て式間仕切装置。
【請求項２】
天井と床面にそれぞれ対向して天レールと地レールを取付けるとともに、前記地レール上にアジャスター機能を有する巾木を装着し、前記天レールと巾木の間に支柱を立設し、前記間仕切パネルの周囲に前記一対の枠部材と連結部材とで凹溝を形成し、該間仕切パネルの下部の凹溝を巾木の突縁に外嵌し、側部の凹溝を前記支柱に外嵌し、上部の凹溝を前記天レールに外嵌してなる請求項１記載の組立て式間仕切装置。
【請求項３】
前記ボードがホルムアルデヒド等のシックハウス症候群の原因となる化学物質の吸着機能を有する材質で形成している請求項１又は２記載の組立て式間仕切装置。
【請求項４】
前記パネル板の表面に湿気透過性を有する塗料を塗布し又は表面をクロスで覆い又は表面に湿気透過性を有する塗料を塗布した上にクロスで覆っている請求項１〜３何れかに記載の組立て式間仕切装置。
【発明の詳細な説明】
【０００１】
【発明の属する技術分野】
本発明は、組立て式間仕切装置に係わり、更に詳しくは表裏両面にパネル板を有する追い込み組立て式の間仕切装置に関するものである。
【０００２】
【従来の技術】
従来から、表裏両面にパネル板を有する追い込み組立て式の間仕切装置は各種提供されている。この場合に用いる間仕切パネルは、上下枠、両側枠からなる枠体の表裏両面にパネル板を固着し、前記枠体と表裏のパネル板の周囲部とで、上下左右両側に凹溝を形成した構造のものを用いている。
【０００３】
そして、天井と床面にそれぞれ対向して天レールと地レールを取付けるとともに、前記地レール上にアジャスター機能を有する巾木を装着し、前記天レールと巾木の間に支柱を立設した後、前記間仕切パネルの下部の凹溝を巾木の突縁に外嵌し、側部の凹溝を前記支柱に外嵌し、上部の凹溝を前記天レールに外嵌して支持し、更に既設置の間仕切パネルの側部の凹溝内に新たな支柱の一部を嵌合した状態に立設し、その側方に前記同様に次の間仕切パネルを追い込み組立てるのである。
【０００４】
このような追い込み組立て式の間仕切装置は、空間を区画し、独立した部屋を作るために設置するので、防音性や耐火性に優れたものとなっている。そのため、間仕切パネルの構造は、石膏ボード等の防音性に優れた芯材の表面をスチール製の表面板で覆ったパネル板を、枠体の表裏両面に固定するとともに、内部空間内にロックウール等の吸音性に優れた材料を詰めたものが一般的である。
【０００５】
例えば、特許文献１には、床面に固定した地レールと天井面に固定した断面下向き開口コ字状の天レールとの間に、当該天地レールの長手方向に沿って左右適宜間隔で多数の支柱を立設し、パネルを、それらパネルの両側面に形成した縦長凹所を支柱に被嵌することによって前後動不能に装着してなる間仕切装置が開示されている。
【０００６】
しかし、前述の構造の間仕切パネルは、工場で一貫生産されているが、重量が重く、寸法も大きいため、その搬送や取扱いには非常に労力を要するのである。特に、防音性や耐火性を有する間仕切パネルは、非常に重く、堅牢であるので、複数人で担架しなければならず、また建て込み作業においても重労働である。
【０００７】
【特許文献１】特開平８−２３２３７２号公報
【０００８】
【発明が解決しようとする課題】
本発明が前述の状況に鑑み、解決しようとするところは、表裏両面にパネル板を有する追い込み組立て式の間仕切装置において、各部品を施工現場で簡単に組立てることができる構造として、搬送や取扱いが容易である組立て式間仕切装置を提供する点にある。
【０００９】
【課題を解決するための手段】
本発明は、前述の課題解決のために、表裏両面にパネル板を有する追い込み組立て式の間仕切装置であって、ボードの背面と周囲を金属製の裏打ち板で覆った一対のパネル板と、前記パネル板の周囲に着脱可能に取付ける枠部材と、背面合わせに配した両パネル板の周囲に取付けた枠部材同士を、一定間隔を維持して着脱可能に連結する連結部材とからなる間仕切パネルを用いてなる組立て式間仕切装置を構成した。
【００１０】
具体的には、天井と床面にそれぞれ対向して天レールと地レールを取付けるとともに、前記地レール上にアジャスター機能を有する巾木を装着し、前記天レールと巾木の間に支柱を立設し、前記間仕切パネルの周囲に前記一対の枠部材と連結部材とで凹溝を形成し、該間仕切パネルの下部の凹溝を巾木の突縁に外嵌し、側部の凹溝を前記支柱に外嵌し、上部の凹溝を前記天レールに外嵌してなるのである。
【００１１】
ここで、前記ボードがホルムアルデヒド等のシックハウス症候群の原因となる化学物質の吸着機能を有する材質で形成していることがより好ましい。この場合、前記パネル板の表面に湿気透過性を有する塗料を塗布し又は表面をクロスで覆い又は表面に湿気透過性を有する塗料を塗布した上にクロスで覆っている。
【００１２】
【発明の実施の形態】
次に本発明の実施の形態を添付図面に基づき更に詳細に説明する。図１は本発明に係る組立て式間仕切装置の施工例であり、天井Ｓと床面Ｆ間を、規定寸法の間仕切パネル１との上部に取付けた補助間仕切パネル１Ａとで区画した例を示したが、勿論床面Ｆから天井Ｓまで一枚の間仕切パネル１で区画しても良い。図２〜図５は要部の分解斜視図、図６及び図７は組立てた状態の断面図を示し、図中符号１は間仕切パネル、２はパネル板、３は枠部材、４連結部材、５は天レール、６は地レール、７は巾木、８は支柱をそれぞれ示している。
【００１３】
本発明に係る組立て式間仕切装置は、図２〜図４に示すように、表裏両面にパネル板２，２を有する追い込み組立て式の間仕切装置であって、ボード９の背面と周囲を金属製の裏打ち板１０で覆った一対のパネル板２と、前記パネル板２の周囲に着脱可能に取付ける枠部材３と、背面合わせに配した両パネル板２の周囲に取付けた枠部材３，３同士を、一定間隔を維持して着脱可能に連結する連結部材４とからなる間仕切パネル１を用いてなるものである。
【００１４】
更に詳しくは、前記パネル板２は、前記ボード９がホルムアルデヒド等のシックハウス症候群の原因となる化学物質の吸着機能を有する材質で形成している。例えば、前記ボード９として、鉱物質繊維と火山性ガラス質材料を原料としたエコボードやダイライト（共に大建工業株式会社の商品名）を用いることができる。そして、前記ボード９の背面と周囲面をスチール板を箱型に成形した裏打ち板１０に固着し、またボード９の表面に湿気透過性を有する塗料を塗布し又は表面をクロスで覆い又は表面に湿気透過性を有する塗料を塗布した上にクロスで覆って仕上げている。
【００１５】
また、前記枠部材３は、図３及び図４に示すように、本実施形態ではアルミニウムの押出し成形品を用い、その形状は断面略Ｚ字形となっており、前記パネル板２の背面１１側縁部に接合する所定幅の固定部１２と、該固定部１２の一側縁から外側（表面側）へ略直角に延び前記パネル板２の周囲面１３に接合する端面部１４と、前記固定部１２の他側縁から内側（内部側）へ略直角に延びた連結部１５とを有し、更に前記端面部１４の端縁には前記裏打ち板１０の表面側縁部を外被する保護縁１６が一体形成されたものである。
【００１６】
また、前記連結部材４は、図３及び図４に示すように、本実施形態ではスチール板を折曲形成した断面略コ字形の長尺部材であり、即ち、表裏のパネル板２，２の間隔を規定する基板１７の両側縁に当接板１８，１８を略直角に折曲形成したものである。
【００１７】
そして、前記間仕切パネル１を組立てるには、先ず前記パネル板２の背面１１の周囲にそれぞれ前記枠部材３の固定部１２を接合するとともに、前記端面部１４をパネル板２の周囲面１３に接合した状態で、前記固定部１２をパネル板２の前記裏打ち板１０にネジ１９，…にて取付ける。それから、２枚のパネル板２，２を背面合わせに配するとともに、それぞれのパネル板２，２に取付けた一対の枠部材３，３の連結部１５，１５の外面に前記連結部材４の基板１７の両側部を接合するとともに、該連結部材４の両当接板１８，１８をそれぞれ枠部材３，３の固定部１２，１２に当接した状態で、ネジ２０，…にて基板１７をそれぞれ枠部材３，３の連結部１５，１５に連結する。この際、両パネル板２，２の間には、間隔を保持するための間隔保持部材２１を接着等の適宜な手段で取付け、更に防音性を高めるために、ロックウール等の吸音材を充填することもある。このように組立てた間仕切パネル１の周囲には、前記一対の枠部材３，３と連結部材４とで凹溝２２が形成される。
【００１８】
尚、前記間仕切パネル１の上部を直接天レール５に装着する場合、あるいは補助間仕切パネル１Ａを用いる場合には、間仕切パネル１の上部又は補助間仕切パネル１Ａの上部の構造は、若干異なる。即ち、間仕切パネル１又は補助間仕切パネル１Ａを建て込む際に、上方へ持ち上げて天レール５との嵌合を深くし、その後、落し込み係合するため、凹溝２２を深いものにする必要がある。そのため、前記枠部材３の代わりに、固定部１２の幅が広い枠部材３Ａを用い、同様に該枠部材３Ａを背面１１の上端部に取付けるとともに、前記連結部材４で連結するのである。
【００１９】
また、前記天レール５は、下向きに開放した断面略コ字形の長尺部材であり、天井Ｓにアンカーボルトで取付ける。また、前記地レール６は、上向きに開放した断面略コ字形の長尺部材であり、天井Ｓにアンカーボルトで取付ける。そして、前記地レール６には、アジャスター機能を有する巾木７を装着する。この巾木７は、図５及び図６に示すように、下方開放した断面略コ字形の長尺部材で、前記地レール６に外嵌するように装着する。前記巾木７の上面中央部には、その長さ方向に沿って突縁２３が形成され、前記地レール６の溝部２４内に設置したアジャスター受け２５に螺合したアジャスターボルト２６の頭部に、前記巾木７の突縁２３の下面部が載置されている。
【００２０】
また、前記支柱８は、図５に示すように、下端に前記巾木７の突縁２３に外嵌する切欠部２７を有し、該切欠部２７を突縁２３に外嵌し、上端部を前記天レール５の溝部２８に係入した状態で立設するが、特に自立するような構造は備えてない。勿論、前記支柱８を天レール５と地レール６又は巾木７間で自立させても良い。
【００２１】
そして、前述のように、パネル板２、枠部材３、連結部材４を組立てて構成した間仕切パネル１及び適宜補助間仕切パネル１Ａを用いて間仕切装置を構成するには、先ず天井Ｓと床面Ｆにそれぞれ対向して天レール５と地レール６を取付けるとともに、前記地レール６上にアジャスター機能を有する巾木７を装着し、前記天レール５と巾木７の間に支柱８を立設し、前記間仕切パネル１の下部の凹溝２２を巾木７の突縁２３に外嵌し、側部の凹溝２２を前記支柱８に外嵌し、上部の凹溝２２を前記天レール５に外嵌し、それを次々に支柱８を介して他の間仕切パネル１を追い込み組立てるのである。尚、前記間仕切パネル１の上部に補助間仕切パネル１Ａを建て込む必要がある場合には、図２及び図６に示すような横桟部材２９を用いる。つまり、前記両支柱８，８間であって、前記間仕切パネル１の上部の凹溝２２内に、前記横桟部材２９の下面に突設したリブ３０を係合し、該横桟部材２９の上にその上面に突設したリブ３０に下部の凹溝２２を係合して前記補助間仕切パネル１Ａを装着する。尚、間仕切パネル１の凹溝２２を支柱８に外嵌する際に、該凹溝２２内にクッション材３１を介在させると、ガタツキなく、しかも遮音性に優れるので好ましい。
【００２２】
以上、基本的な間仕切パネル１の追い込み組立て方法を説明したが、壁面Ｗに接する間仕切装置の端部は、図７に示すように、端部支柱３２を用いて壁面Ｗに連結する。前記端部支柱３２は、端部部材３３とカバー部材３４とからなり、前記端部部材３３は、壁面Ｗへの固定する端面板３５の一側縁から直角に延び間仕切パネル１の一方のパネル板２の表面側縁部に外接する壁板３６を有するとともに、該壁板３６の内面に固着した壁面Ｗと平行な支持板３７の中央部に前記支柱８と同じ部材で構成した支柱部３８を固着したものである。そして、前記間仕切パネル１の側部の凹溝２２を前記端部部材３３の支柱部３８に外嵌するとともに、一方のパネル板２の表面側縁部を前記壁板３６の内面に位置させ、それから前記カバー部材３４の壁側一側縁を前記端部部材３３の端面板３５の一側縁にネジ止めして、該カバー部材３４によって前記間仕切パネル１の他方のパネル板２の表面側縁部を外被するのである。
【００２３】
また、複数の間仕切パネル１，…を直線状に連結した間仕切装置に、他の間仕切パネル１Ｂを直角に連結するには、図７に示すように、既設の間仕切パネル１，１間の目地部に臨んだ前記支柱８に、該支柱８の略半分の厚さの連結支柱３９をネジ止めし、この連結支柱３９に新たに連結する間仕切パネル１Ｂの側部の凹部２２を外嵌して連結する。尚、この間仕切パネル１Ｂの上下部は、前記同様に天レール５、地レール６及び巾木７を用いて支持するのである。
【００２４】
【発明の効果】
以上にしてなる請求項１に係る発明の組立て式間仕切装置は、表裏両面にパネル板を有する追い込み組立て式の間仕切装置であって、ボードの背面と周囲を金属製の裏打ち板で覆った一対のパネル板と、前記パネル板の周囲に着脱可能に取付ける枠部材と、背面合わせに配した両パネル板の周囲に取付けた枠部材同士を、一定間隔を維持して着脱可能に連結する連結部材とからなる間仕切パネルを用いたので、各部品単位で搬送することができるので、搬送やその取扱いが極めて容易になり、また部品を施工現場で簡単に組立てて間仕切パネルを構成することができ、そしてその複数の間仕切パネルを用いて容易に間仕切壁を構築できる。
【００２５】
請求項２によれば、パネル板と枠部材及び連結部材のみで間仕切パネルを施工現場で簡単に組立てることができ、部品点数も少ないので製造コストや保管コストを大幅に低減することができる。
【００２６】
請求項３によれば、ボードがホルムアルデヒド等のシックハウス症候群の原因となる化学物質の吸着するので、室内環境を改善することができる。
【００２７】
請求項４によれば、パネル板の表面を覆う塗料やクロスが湿気透過性を有するので、ボードがホルムアルデヒド等のシックハウス症候群の原因となる化学物質の吸着する作用を阻害することがないのである。
【図面の簡単な説明】
【図１】本発明に係る間仕切装置の施工例を示す簡略正面図である。
【図２】本発明に用いる間仕切パネルと地レール及び巾木との関係を示す分解斜視図である。
【図３】間仕切パネルの側部の構造を示す部分分解斜視図である。
【図４】間仕切パネルの上部の構造を示す部分分解斜視図である。
【図５】天レールと地レール間に支柱を立設する構造を示す部分分解斜視図である。
【図６】組立てた状態の間仕切装置の縦断面図である。
【図７】同じく組立てた状態の間仕切装置の横断面図である。
【符号の説明】
Ｆ　床面　　　　　　　　　Ｓ　天井
Ｗ　壁面
１、１Ｂ　間仕切パネル　　１Ａ　補助間仕切パネル
２　パネル板　　　　　　　３、３Ａ　枠部材
４　連結部材　　　　　　　５　天レール
６　地レール　　　　　　　７　巾木
８　両支柱　　　　　　　　９　ボード
１０　板裏打ち板　　　　　１１　背面
１２　固定部　　　　　　　１３　周囲面
１４　端面部　　　　　　　１５　連結部
１６　保護縁　　　　　　　１７　基板
１８　当接板　　　　　　　１９　ネジ
２０　ネジ　　　　　　　　２１　間隔保持部材
２２　凹溝　　　　　　　　２３　突縁
２４　溝部　　　　　　　　２５　アジャスター受け
２６　アジャスターボルト　２７　切欠部
２８　溝部　　　　　　　　２９　横桟部材
３０　リブ　　　　　　　　３１　クッション材
３２　端部支柱　　　　　　３３　端部部材
３４　カバー部材　　　　　３５　端面板
３６　壁板　　　　　　　　３７　支持板
３８　支柱部　　　　　　　３９　連結支柱
【図１】
2004124480.tif 000003
【図２】
2004124480.tif 000004
【図３】
2004124480.tif 000005
【図４】
2004124480.tif 000006
【図５】
2004124480.tif 000007
【図６】
2004124480.tif 000008
【図７】
2004124480.tif 000009